(57)【要約】【課題】携帯端末と車載装置とを連携させる技術であって、車載装置のブラウザ機能を従来よりも簡略化し、携帯端末で取得可能であるユーザにとって有益な情報を、車載装置の表示部に表示させる技術を提供する。【解決手段】車載装置で表示する表示態様を予め特定しておき、携帯端末で、携帯端末で取得されるコンテンツデータを、予め特定された表示態様に変換し、変換した情報データを車載装置に送信する。そして、車載装置では、携帯端末で変換された変換コンテンツデータを受信して、表示部に表示する。【選択図】図１
2010250376.tif 000002
【特許請求の範囲】
【請求項１】
サーバと接続して該サーバが有する情報を取得可能な携帯端末と通信可能であると共に該携帯端末で取得される情報を表示する表示装置を有する車載装置であって、
前記サーバが有する前記情報を含むデータを取得するデータ取得部と、前記データ取得部で取得されるデータを変換するデータ変換部であって、前記サーバから提供される情報を前記車載装置に表示する際、該情報が予め設定された表示態様によって表示されるように前記データを変換するデータ変換部と、前記データ変換部で変換される情報データを前記車載装置に対して出力する情報データ出力部と、を有する前記携帯端末の情報データ出力部から出力される情報データを取得する情報データ取得部と、
前記情報データ取得部で取得される情報データを処理して、前記情報の表示態様として予め設定されている表示態様により、前記情報データに対応する情報を前記表示装置に表示させる情報データ処理部と、を備える
車載装置。
【請求項２】
前記予め設定された表示態様に対応するテンプレートを記憶する記憶部を更に備え、
前記情報データ処理部は、前記情報データ取得部で取得される情報データを前記記憶部に記憶されるテンプレートに適合させて、前記情報データに対応する情報を前記表示装置に表示させる、請求項１に記載の車載装置。
【請求項３】
前記情報には、前記携帯端末のユーザ毎の嗜好が反映された個別情報が含まれ、
前記車載装置の電源の投入により、前記情報データ取得部は、前記情報データの取得を開始し、前記情報データ処理部が、情報データに対応する情報としての前記個別情報を前記表示装置に表示させる、請求項１又は２に記載の車載装置。
【請求項４】
前記携帯端末との通信を開始するための通信要求をユーザから受け付ける受付部を更に備え、
前記受付部がユーザからの通信要求を受け付けると、前記情報データ取得部は、前記情報データの取得を開始し、前記情報データ処理部が、情報データに対応する情報を前記表示装置に表示させる、請求項１から３のいずれか一に記載の車載装置。
【請求項５】
前記表示態様には、前記情報を文章のみで表示する文章態様、前記情報を画像のみで表示する画像態様、前記情報を文章及び画像で表示する混合態様が含まれ、
前記文章態様、画像態様、混合態様を含む前記表示態様に対応するテンプレートを記憶する記憶部を更に備え、
前記情報データ処理部は、前記情報データ取得部で取得される情報データを前記記憶部に記憶されるテンプレートに適合させて、前記情報データに対応する情報を前記表示装置に表示させる、請求項１から４のいずれか一に記載の車載装置。
【請求項６】
サーバと接続して該サーバが有する情報を取得可能であり、かつ該情報を表示する表示装置を有する車載装置と通信可能な携帯端末であって、
前記サーバが有する前記情報を含むデータを取得するデータ取得部と、
前記データ取得部で取得されるデータを変換するデータ変換部であって、前記サーバから提供される情報を、前記情報データ出力部から出力される情報データを取得する情報データ取得部と、前記情報データ取得部で取得される情報データを処理して、前記情報の表示態様として予め設定されている表示態様により、前記情報データに対応する情報を前記表示装置に表示させる情報データ処理部と、を有する前記車載装置に表示する際、該情報が予め設定された表示態様によって表示されるように前記データを変換するデータ変換部と、
前記データ変換部で変換される情報データを前記車載装置に対して出力する情報データ
出力部と、を備える
携帯端末。
【請求項７】
前記車載装置は、前記予め設定された表示態様に対応するテンプレートを記憶する記憶部を更に有し、
前記データ変換部は、前記サーバから提供される情報を前記車載装置に表示する際、該情報が、前記テンプレートに対応する表示態様によって表示されるように前記データを変換する、請求項６に記載の携帯端末。
【請求項８】
前記情報には、前記携帯端末のユーザ毎の嗜好が反映された個別情報が含まれ、
前記車載装置の電源の投入により、前記情報データ取得部が、前記情報データの取得を開始し、前記情報データ処理部が、情報データに対応する情報としての前記個別情報を前記表示装置に表示させる、請求項６又は７に記載の携帯端末。
【請求項９】
前記車載装置は、前記携帯端末との通信を開始するための通信要求をユーザから受け付ける受付部を更に有し、
前記受付部がユーザからの通信要求を受け付けると、前記データ変換部は、前記データを変換し、前記情報データ出力部が、前記データ変換部で変換される情報データを前記車載装置に対して出力し、情報データ取得部が、前記情報データの取得を開始し、前記情報データ処理部が、情報データに対応する情報を前記表示装置に表示させる、請求項６から８のいずれか一に記載の携帯端末。
【請求項１０】
前記表示態様には、前記情報を文章のみで表示する文章態様、前記情報を画像のみで表示する画像態様、前記情報を文章及び画像で表示する混合態様が含まれ、
前記車載装置は、前記文章態様、画像態様、混合態様を含む前記表示態様に対応するテンプレートを記憶する記憶部を更に有し、
前記データ変換部は、前記サーバから提供される情報を前記車載装置に表示する際、該情報が、前記テンプレートに対応する表示態様によって表示されるように前記データを変換する、請求項６から９のいずれか一に記載の携帯端末。
【請求項１１】
サーバと接続して該サーバが有する情報を取得可能な携帯端末と、該携帯端末と通信可能であると共に該携帯端末で取得される情報を表示する表示装置を有する車載装置とを備える情報提供システムであって、
前記携帯端末は、
前記サーバが有する前記情報を含むデータを取得するデータ取得部と、
前記データ取得部で取得されるデータを変換するデータ変換部であって、前記サーバから提供される情報を前記車載装置に表示する際、該情報が予め設定された表示態様によって表示されるように前記データを変換するデータ変換部と、
前記データ変換部で変換される情報データを前記車載装置に対して出力する情報データ出力部と、を有し、
前記車載装置は、
前記情報データ出力ステップで出力される情報データを取得する情報データ取得部と、
前記情報データ取得部で取得される情報データを処理して、前記情報の表示態様として予め設定されている表示態様により、前記情報データに対応する情報を前記表示装置に表示させる情報データ処理部と、を有する
情報提供システム。
【発明の詳細な説明】
【技術分野】
【０００１】
本発明は、情報提供システム、車載装置、及び携帯端末に関する。
【背景技術】
【０００２】
ナビゲーション装置と携帯電話機を連携させる技術が開発されている。例えば、特許文献１には、携帯電話機のＧＰＳ機能を利用して位置情報を測位し、測位した位置情報をカーナビゲーション装置へ送信し、カーナビゲーション装置が、送信された位置情報に基づいて目的地を設定して経路探索を行う技術が開示されている。これにより、特許文献１に記載の技術によれば、携帯電話機によって取得した位置情報に基づいて、カーナビゲーション装置における経路探索を行うことができる。
【先行技術文献】
【特許文献】
【０００３】
【特許文献１】特開２００３−１０６８５４号公報
【発明の概要】
【発明が解決しようとする課題】
【０００４】
近年の携帯端末（例えば、携帯電話機）によれば、種々のサーバへ接続することで様々の情報を取得することが可能である。また、ユーザ登録をし、ユーザの嗜好や取得したい情報を予め設定しておくことで、ユーザが興味のある情報のみを取得することができる。一方、ナビゲーション装置などの車載装置は、ディスプレイを備えており、この車載装置のディスプレイは、一般的に携帯端末のディスプレイよりも大きい。従って、ユーザが車両内に居る場合、携帯端末で取得した情報は、車載装置のディスプレイに表示した方が見易い。また、例えばエンジン始動時などの所定のタイミングで車載装置のディスプレイに携帯端末で取得される情報を表示できれば、ユーザは、ユーザにとって有益な情報を得ることができる。
【０００５】
車載装置に携帯端末と同様のブラウザを搭載することで、携帯端末で取得した情報を車載装置のディスプレイに表示することができる。しかしながら、携帯端末と同様のブラウザを搭載する場合、その分メモリの容量を増加させる必要があるなど、車載装置のコストアップにつながる。また、車載装置のディスプレイには、必要な情報を、車両内という状況に応じた態様で表示できればよい。換言すると、携帯端末と同様のブラウザを車載装置に搭載しても、逆に不要な機能まで搭載することになる虞がある。
【０００６】
本発明では、上記した背景に鑑み、携帯端末と車載装置とを連携させる技術であって、車載装置のブラウザ機能を従来よりも簡略化し、携帯端末で取得可能であるユーザにとって有益な情報を、車載装置の表示部に表示させる技術を提供することを課題とする。
【課題を解決するための手段】
【０００７】
本発明では、上述した課題を解決するため、車載装置で表示する表示態様を予め特定しておき、携帯端末で取得されるコンテンツデータを、携帯端末側で予め特定された表示態様に変換し、変換した情報データを携帯端末から車載装置に送信することとした。そして、車載装置では、携帯端末で変換された変換コンテンツデータを受信して、表示部に表示することとした。これにより、車載装置側の表示に関する処理を低減することができる。換言すると、携帯端末と同様のブラウザを搭載することなく、携帯端末で取得される情報を車載装置に表示することが可能となる。
【０００８】
より詳細には、本発明は、サーバと接続して該サーバが有する情報を取得可能な携帯端末と通信可能であると共に該携帯端末で取得される情報を表示する表示装置を有する車載装置である。前記携帯端末とは、前記サーバが有する前記情報を含むデータを取得するデータ取得部と、前記データ取得部で取得されるデータを変換するデータ変換部であって、前記サーバから提供される情報を前記車載装置に表示する際、該情報が予め設定された表示態様によって表示されるように前記データを変換するデータ変換部と、前記データ変換部で変換される情報データを前記車載装置に対して出力する情報データ出力部と、を有する携帯端末である。そして、前記車載装置は、上記携帯端末の情報データ出力部から出力される情報データを取得する情報データ取得部と、前記情報データ取得部で取得される情報データを処理して、前記情報の表示態様として予め設定されている表示態様により、前記情報データに対応する情報を前記表示装置に表示させる情報データ処理部と、を更に備える。
【０００９】
本発明に係る車載装置では、情報データ取得部が、携帯端末の情報データ出力部から出力される情報データを取得する。情報データとは、携帯端末のデータ変換部によって変換されたデータ、換言すると、サーバから提供される情報を前記車載装置に表示する際、該情報が予め設定された表示態様によって表示されるように変換されたデータである。そして、情報データ処理部が、取得された情報データを処理する。その結果、情報データに対応する情報が表示装置に表示される。車載装置では、携帯端末側で既に変換された情報データを用いて、表示装置に表示させるので、車載装置側の表示に関する処理を従来よりも低減することができる。換言すると、携帯端末と同様のブラウザを搭載することなく、携帯端末で取得される情報を車載装置に表示することが可能となる。
【００１０】
ここで、本発明に係る前記車載装置は、前記予め設定された表示態様に対応するテンプレートを記憶する記憶部を更に備え、前記情報データ処理部は、前記情報データ取得部で取得される情報データを前記記憶部に記憶されるテンプレートに適合させて、前記情報データに対応する情報を前記表示装置に表示させるようにしてもよい。
【００１１】
本発明によれば、取得した情報データをテンプレートに適合、換言すると当てはめるだけでよいので、車載装置側の処理を従来よりも低減して、サーバが有する情報を表示装置に表示させることができる。なお、車載装置の情報データ処理部が情報データをテンプレートに適合できるよう、前記データ変換部は、前記サーバから提供される情報を前記車載装置に表示する際、該情報が、前記テンプレートに対応する表示態様によって表示されるように前記データを変換することが好ましい。
【００１２】
また、本発明に係る車載装置において、前記情報には、前記携帯端末のユーザ毎の嗜好が反映された個別情報が含まれ、前記車載装置の電源の投入により、前記情報データ取得部が、前記情報データの取得を開始し、前記情報データ処理部が、情報データに対応する情報としての前記個別情報を前記表示装置に表示させるようにしてもよい。
【００１３】
車載装置の電源の投入をトリガとして、サーバが有する情報、特に個別情報を含む情報を表示装置に表示することで、ユーザは、ユーザの嗜好が反映された情報、換言するとユーザにとって有益な情報を得ることができる。例えば、車載装置の電源を車両のアクセサリ電源と連動させておけば、車両のアクセサリ電源をＯＮにすることで、車載装置の表示装置には、ユーザ毎の個別情報が表示される。従って、エンジンを始動させる際の暖機時間を利用して、有効な情報を得ることが可能となる。なお、個別情報は、携帯端末やサーバに接続可能なコンピュータを通じてユーザ登録をし、ユーザの嗜好や取得したい情報を予め設定しておくことで、ユーザが興味のある情報のみを取得することができる。
【００１４】
また、本発明に係る車載装置は、前記携帯端末との通信を開始するための通信要求をユ
ーザから受け付ける受付部を更に有し、前記受付部がユーザからの通信要求を受け付けると、前記情報データ取得部が、前記情報データの取得を開始し、前記情報データ処理部が、情報データに対応する情報を前記表示装置に表示させるようにしてもよい。車載装置が受付部を備えることで、ユーザが希望するタイミングでサーバが有する情報を表示装置に表示させることができる。
【００１５】
また、本発明に係る車載装置において、前記表示態様には、前記情報を文章のみで表示する文章態様、前記情報を画像のみで表示する画像態様、前記情報を文章及び画像で表示する混合態様が含まれ、前記車載装置は、前記文章態様、画像態様、混合態様を含む前記表示態様に対応するテンプレートを記憶する記憶部を更に備え、前記情報データ処理部は、前記情報データ取得部で取得される情報データを前記記憶部に記憶されるテンプレートに適合させて、前記情報データに対応する情報を前記表示装置に表示させるようにしてもよい。表示態様を上記のように予め特定することでユーザの嗜好に応じた表示を実現することができる。
【００１６】
ここで、本発明は、上述した車載装置と共に使用され、車載装置に対して送信する情報データを生成する携帯端末としてもよい。具体的には、本発明は、サーバと接続して該サーバが有する情報を取得可能な携帯端末あり、かつ該情報を表示する表示装置を有する車載装置と通信可能な携帯端末である。そして、本発明に係る携帯端末は、前記サーバが有する前記情報を含むデータを取得するデータ取得部と、前記データ取得部で取得されるデータを変換するデータ変換部であって、前記サーバから提供される情報を前記車載装置に表示する際、該情報が予め設定された表示態様によって表示されるように前記データを変換するデータ変換部と、前記データ変換部で変換される情報データを前記車載装置に対して出力する情報データ出力部と、を備える。また、前記車載装置とは、前記情報データ出力部から出力される情報データを取得する情報データ取得部と、前記情報データ取得部で取得される情報データを処理して、前記情報の表示態様として予め設定されている表示態様により、前記情報データに対応する情報を前記表示装置に表示させる情報データ処理部と、を有する車載装置である。
【００１７】
また、本発明は、上述した車載装置と携帯端末とを含む情報提供システムとしてもよい。すなわち、本発明は、サーバと接続して該サーバが有する情報を取得可能な携帯端末と、該携帯端末と通信可能であると共に該携帯端末で取得される情報を表示する表示装置を有する車載装置とを備える情報提供システムであって、  前記携帯端末は、前記サーバが有する前記情報を含むデータを取得するデータ取得部と、前記データ取得部で取得されるデータを変換するデータ変換部であって、前記サーバから提供される情報を前記車載装置に表示する際、該情報が予め設定された表示態様によって表示されるように前記データを変換するデータ変換部と、前記データ変換部で変換される情報データを前記車載装置に対して出力する情報データ出力部と、を有し、前記車載装置は、前記情報データ出力ステップで出力される情報データを取得する情報データ取得部と、前記情報データ取得部で取得される情報データを処理して、前記情報の表示態様として予め設定されている表示態様により、前記情報データに対応する情報を前記表示装置に表示させる情報データ処理部と、を有する。
【００１８】
更に、本発明は、上述した車載装置、携帯端末、又は情報提供システムで実行される処理を実現させる方法であってもよい。例えば、情報提供システムで実行される方法であれば、本発明は、以下のように特定することができる。すなわち、本発明は、サーバと接続して該サーバが有する情報を取得可能な携帯端末と、該携帯端末通信可能であると共に該携帯端末で取得される情報を表示する表示装置を有する車載装置とを備える情報提供システムによる情報提供方法であって、前記携帯端末のコンピュータが、前記サーバが有する前記情報を含むデータを取得するデータ取得ステップと、前記データ取得ステップで取得
されるデータを変換するデータ変換ステップであって、前記サーバから提供される情報を前記車載装置に表示する際、該情報が予め設定された表示態様によって表示されるように前記データを変換するデータ変換ステップと、前記データ変換ステップで変換される情報データを前記車載装置に対して出力する情報データ出力ステップと、を実行し、前記車載装置のコンピュータが、前記情報データ出力ステップで出力される情報データを取得する情報データ取得ステップと、前記情報データ取得ステップで取得される情報データを処理して、前記情報の表示態様として予め設定されている表示態様により、前記情報データに対応する情報を前記表示装置に表示させる情報データ処理ステップと、を実行する。
【００１９】
更に、本発明は、そのようなプログラムを記録したコンピュータが読み取り可能な記録媒体であってもよい。この場合、コンピュータ等に、この記録媒体のプログラムを読み込ませて実行させることにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００２０】
本発明によれば、携帯端末と車載装置とを連携させる技術であって、車載装置のブラウザ機能を従来よりも簡略化し、携帯端末で取得可能であるユーザにとって有益な情報を、車載装置の表示部に表示させる技術を提供することができる。
【図面の簡単な説明】
【００２１】
【図１】第一実施形態に係る情報提供システムの概略構成を示す。
【図２】第一実施形態に係る車載装置の概略構成を示す。
【図３】第一実施形態に係る車載装置の機能ブロック図を示す。
【図４Ａ】文章テンプレートの一例を示す。
【図４Ｂ】文章テンプレートに携帯端末側で変換された情報データを当てはめた場合の表示例を示す。
【図４Ｃ】図４Ａの文章テンプレートに対応する情報データを示す。
【図５Ａ】画像テンプレートの一例を示す。
【図５Ｂ】画像テンプレートに情報データを当てはめた場合の表示例を示す。
【図５Ｃ】図５Ａの画像テンプレートに対応する情報データを示す。
【図６Ａ】混合テンプレートの一例を示す。
【図６Ｂ】混合テンプレートに情報データを当てはめた場合の表示例を示す。
【図６Ｃ】図６Ａの混合テンプレートに対応する情報データを示す。
【図７Ａ】タブ付きテンプレートの一例を示す。
【図７Ｂ】タブ付きテンプレートに携帯端末側で変換された情報データを当てはめた場合の表示例を示す。
【図７Ｃ】図７Ａのタブ付きテンプレートに対応する情報データを示す。
【図８Ａ】メニュー画面テンプレートの一例を示す。
【図８Ｂ】メニュー画面テンプレートに携帯端末側で変換された情報データを当てはめた場合の表示例を示す。
【図８Ｃ】図８Ａのメニュー画面テンプレートに対応する情報データを示す。
【図９】第一実施形態に係る携帯端末の機能ブロック図を示す。
【図１０】第一実施形態に係る情報提供システムで実行される処理態様１に係る処理フローを示す。
【図１１Ａ】処理態様１における、車載装置のディスプレイ画面遷移（１）を示す。
【図１１Ｂ】処理態様１における、車載装置のディスプレイ画面遷移（２）を示す。
【図１２】サーバに格納されるデータベースの一例を示す。
【図１３】第一実施形態に係る情報提供システムで実行される処理態様２に係る処理フローを示す。
【図１４Ａ】処理態様２における、車載装置のディスプレイ画面遷移（１）を示す。
【図１４Ｂ】処理態様２における、車載装置のディスプレイ画面遷移（２）を示す。
【図１４Ｃ】処理態様２における、車載装置のディスプレイ画面遷移（３）を示す。
【図１５】第二実施形態に係る情報提供システムの概略構成を示す。
【図１６】第二実施形態に係る車載装置の概略構成を示す。
【図１７】第二実施形態に係る車載装置の機能ブロック図を示す。
【図１８Ａ】第二実施形態における、文章テンプレートの一例を示す。
【図１８Ｂ】第二実施形態における、文章テンプレートに携帯端末側で変換された情報データを当てはめた場合の表示例を示す。
【図１８Ｃ】図１８Ａの文章テンプレートに対応する情報データを示す。
【図１９Ａ】第二実施形態における、画像テンプレートの一例を示す。
【図１９Ｂ】第二実施形態における、画像テンプレートに情報データを当てはめた場合の表示例を示す。
【図１９Ｃ】図１９Ａの画像テンプレートに対応する情報データを示す。
【図２０Ａ】第二実施形態における、混合テンプレートの一例を示す。
【図２０Ｂ】混合テンプレートに情報データを当てはめた場合の表示例を示す。
【図２０Ｃ】図２０Ａの混合テンプレートに対応する情報データを示す。
【図２１】第二実施形態に係る情報提供システムで実行される処理態様３に係る処理フローを示す。
【図２２Ａ】処理態様３における、車載装置のディスプレイ画面遷移（１）を示す。
【図２２Ｂ】処理態様３における、車載装置のディスプレイ画面遷移（２）を示す。
【図２３】第二実施形態に係る情報提供システムで実行される処理態様４に係る処理フローを示す。
【図２４Ａ】処理態様４における、車載装置のディスプレイ画面遷移（１）を示す。
【図２４Ｂ】処理態様４における、車載装置のディスプレイ画面遷移（２）を示す。
【図２４Ｃ】処理態様４における、車載装置のディスプレイ画面遷移（３）を示す。
【発明を実施するための形態】
【００２２】
次に、本発明に係る車載装置、携帯端末、情報提供システムの実施形態について図面に基づいて説明する。
【００２３】
[第一実施形態]
＜構成＞
図１は、第一実施形態に係る情報提供システム４の概略構成を示す。第一実施形態に係る情報提供システム４は、車両１に搭載された車載装置２と、サーバ５が提供する情報をネットワークを通じて取得可能な携帯端末３とを備える。サーバ５は、携帯端末３の他、コンピュータからなる複数の端末６、７と接続されている。
【００２４】
（車載装置）
図２は、第一実施形態に係る車載装置２の概略構成を示す。第一実施形態に係る車載装置２は、後述する第二実施形態に係る車載装置２と異なり、ナビゲーション機能を備えておらず、簡易な構成となっている。具体的には、第一実施形態に係る車載装置２は、ディスク再生部２１と、メモリーカード再生部２２、ＴＶ受信部２３と、ラジオ受信部２４と、ディスプレイ２５と、操作部２６と、通信部２７と、これらと電気的に接続される制御部２０と、を有する。なお、本発明に係る車載装置を実現するためには、少なくともディスプレイ２５を備えていればよい。従って、第一実施形態に係る車載装置２は、更に簡易な構成としてもよい。
【００２５】
ディスク再生部２１は、ＣＤ、ＤＶＤ、ＢＤ（ブルーレイディスク）等の光ディスクに
記録されているコンテンツを再生する。ディスク再生部２１は、例えばＣＤ／ＤＶＤデッキによって構成することができる。メモリーカード再生部２２は、ＵＳＢメモリ、ＳＤメモリーカードといった車載装置２に着脱可能な移動型記憶媒体に格納されているコンテンツを再生する。ＴＶ受信部２３は、ＤＴＶ（Digital Television）放送やワンセグ放送を受信する。ＴＶ受信部２３は、既存のチューナによって構成することができる。ラジオ受信部２４は、ＦＭ放送、ＡＭ放送、ＶＩＣＳ情報等を受信する。ラジオ受信部２４は、既存のチューナによって構成することができる。
【００２６】
ディスプレイ２５は、車両１の後方に搭載されるバックカメラ（図示せず）によって撮影される車両１の後方の映像を表示する。また、ディスプレイ２５は、上記に加えて、再生されるコンテンツに関する情報や、携帯端末３を介して取得されるサーバが有する情報、ユーザからの操作を受け付ける操作ボタン等が表示可能である。なお、第一実施形態に係るディスプレイ２５は、タッチパネルによって構成されているが、既存の様々なディスプレイを適用することができる。タッチパネルによらない場合、車載装置２は、操作部やリモートコントローラによって操作することができる。
【００２７】
通信部２７は、携帯端末３との間でデータの送受信を行う。本実施形態では、Bluetooth（登録商標）による無線通信を実現可能とするBluetooth用アンテナによって構成されている。なお、通信部２７は、上記に加えて、赤外線ポートやケーブルを接続するコネクタ等によって構成してもよい。
【００２８】
次に、車載装置２の制御部２０ついて説明する。図３は、第一実施形態に係る車載装置２の機能ブロック図を示す。図３に示すように、制御部２０は、再生処理部２０１、車載側通信制御部２０２、車載側データ送受信部２０３、情報データ処理部２０４、受付部２０５、メモリ２０６、カメラ処理部２０７、を備える。なお、制御部２０は、ＣＰＵ、メモリ等を含むコンピュータとコンピュータ上で実行されるプログラムによって実現することができる。また、制御部２０を構成する、再生処理２０１、車載側通信制御部２０２、車載側データ送受信部２０３、情報データ処理部２０４、受付部２０５、メモリ２０６、カメラ処理部２０７は、専用のプロセッサによって構成してもよい。
【００２９】
再生処理部２０１は、ラジオ受信部２４若しくはＴＶ受信部２３で受信した楽曲情報を再生処理する。
【００３０】
車載側通信制御部２０２は、Bluetooth用アンテナからなる通信部２７を介してハンズフリー接続を実現するためのプロファイル（ＨＦＰ：Hands-Free Profile）を取得してハンズフリー接続を実行する。より詳細には、車載側通信制御部２０２は、車載装置２と携帯端末３とを常時接続状態とし、車両の走行中にユーザ（運転者）が携帯端末３を手に持たず通話できるようにする。車載側通信制御部２０２によるハンズフリー接続の実行は、車載装置に用いられている既存のハンズフリー接続を実行するプログラム、又は専用のプロセッサによって実現することができる。
【００３１】
車載側データ送受信部２０３は、携帯端末３から出力される情報データを取得する。情報データとは、携帯端末３のデータ変換部３１４で変換されたデータであって、サーバ５から提供される情報を車載装置２のディスプレイ２５に表示する際、情報が予め設定された表示態様によって表示されるように変換されたデータである。第一実施形態に係る情報提供システム４では、車載装置２と携帯端末３とをBluetoothにより接続している。そこで、車載装置２と携帯端末３との間のデータの受け渡しは、専用のプロファイルを用いて行われる。具体的には、車載側データ送受信部２０３は、車載装置２と携帯端末３との間で予め策定されたプロトコルとしてのプロファイル（例えば、ＳＰＰ（Serial Port Profile））を用いて情報データを取得する。なお、携帯端末３がマルチプロファイルに対応
している場合、換言すると、携帯端末３がハンズフリー接続とＳＰＰ接続とを同時に実行可能な場合、車載側データ送受信部は、ハンズフリー接続の開始後、ＳＰＰ接続を実行して、情報データを取得することができる。一方、携帯端末３がマルチプロファイルに対応していない場合、車載側データ送受信部は、ハンズフリー接続を切断させてから、ＳＰＰ接続を実行して、情報データを取得する。情報データには、テキストデータ、画像データ、音声データが含まれる。また、情報データの受け渡しは、車載装置２のディスプレイ２５の表示画面の１ページを単位として行われる。なお、データ変換部３１４については、後述する。また、データ変換を含む、第一実施形態に係る情報提供システムで実行される処理の詳細についても後述する。車載装置２は、携帯端末３のBluetooth機能に左右されずに使用させるべく、マルチプロファイル対応とすることが好ましい。
【００３２】
情報データ処理部２０４は、車載側データ送受信部２０３で取得される情報データを処理して、予め設定されている表示態様により、情報データに対応する情報をディスプレイ２５に表示させる。具体的には、情報データ処理部２０４は、メモリ２０６に格納されている、予め設定された表示態様に対応するテンプレートに、取得される情報データを適合させることで情報をディスプレイ２５に表示させる。また、情報データ処理部２０４は、情報データの取得状況、車載装置２の状態などをディスプレイ２５に表示させる。なお、情報データの取得状況などの表示は、他の機能部（例えば、画面制御部）を設け、他の機能部が行うようにしてもよい。
【００３３】
受付部２０５は、ユーザの指示を受け付ける。ユーザの指示には、情報が表示されている場合における更なる詳細情報の表示要求が含まれる。また、複数のページが存在する場合における、次ページや前ページの要求も、ユーザの指示に含まれる。これらのユーザの指示は、ディスプレイ２５に表示される各種操作ボタン（アイコンともいう）や車載装置２の操作部２６を介して受け付けられる。
【００３４】
メモリ２０６は、車載装置２に必要な各種制御プログラムの他、予め設定された表示態様に対応するテンプレートを格納する。なお、メモリ２０６は、揮発性のＲＡＭと、不揮発性のＲＯＭとを含む。
【００３５】
ここで、図４Ａは、情報を文章のみで表示する文章態様に対応する文章テンプレートであり、図４Ｂは、文章テンプレートに携帯端末３側で変換された情報データを当てはめた場合の表示例を示し、図４Ｃは、図４Ａの文章テンプレートに対応する情報データを示す。また、図５Ａは、情報を画像のみで表示する画像態様に対応する画像テンプレートであり、図５Ｂは、画像テンプレートに情報データを当てはめた場合の表示例を示し、図５Ｃは、図５Ａの画像テンプレートに対応する情報データを示す。更に、図６Ａは、情報を文章及び画像で表示する混合態様に対応する混合テンプレートであり、図６Ｂは、混合テンプレートに情報データを当てはめた場合の表示例を示し、図６Ｃは、図６Ａの混合テンプレートに対応する情報データを示す。
【００３６】
図４Ａに示す文章テンプレートは、コンテンツ名称領域、タイトル領域、携帯端末情報領域、テキスト領域、操作ボタンＡ領域、操作ボタンＢ１領域、操作ボタンＢ２領域、スクロールバー表示領域を有する。コンテンツ名称領域には、情報提供サービス会社の名称（例えば、プロバイダ名）、コンテンツのサービス名等が表示される。タイトル領域には、情報の種類や、情報を特定する名称が表示される。携帯端末情報領域には、携帯端末３のバッテリ情報、Bluetoothの通信状況に関する情報、携帯端末３の電波状況に関する情報が表示される。テキスト領域には、サーバ５によって提供される情報がテキストとして表示される。操作ボタンＡ領域には、「戻る」を要求するアイコンが表示される。操作ボタンＢ１領域には、前ページが存在する場合に、前ページを要求するアイコンが表示される。操作ボタンＢ２領域には、次ページが存在する場合に、次ページを要求するアイコン
が表示される。スクロールバー表示領域には、前ページ、次ページの存在の有無が表示される。上記のような文章テンプレートに携帯端末３側で変換された図４Ｃに示す情報データを当てはめることで図４Ｂに示すような画面がディスプレイ２５に表示される。自動更新領域には、表示される情報が更新情報（例えば、野球情報のように情報が逐次変化する情報）か否かが表示される。図４Ｂに示す例では、「ジャンル：イルミネーション」、「開催地：○○市  ○○遊園地」、「詳細：○○○○・・・・」がテキストのみで表示される。また、ドライブ情報は、「情報ボタン」からポップアップ表示されている。「情報ボタン」の他、図４Ｂに示す例では、「お天気ボタン」、「ガソリン価格ボタン」、「ＴＶスポットボタン」、「ニュースボタン」が表示されている。但し、上記各ボタンは、あくまで例示にすぎない。
【００３７】
図５Ａに示す画像テンプレートは、コンテンツ名称領域、タイトル領域、携帯端末情報領域、画像領域、操作ボタンＡ領域、操作ボタンＢ１領域、操作ボタンＢ２領域、スクロールバー表示領域を有する。画像領域には、サーバ５によって提供される情報が画像として表示される。なお、画像領域以外の領域については、図４Ａに示す文章テンプレートと同じであるので、説明は、割愛する。図５Ａに示す文章テンプレートに携帯端末３側で変換された図５Ｃに示す情報データを当てはめることで図５Ｂに示すような画面がディスプレイ２５に表示される。図５Ｂに示す例では、ライトアップされた遊園地を示す画像が表示されている。なお、詳しい情報（例えば、住所や開催日時など）は、画像領域をタッチすることで表示するようにしてもよい。
【００３８】
図６Ａに示す混合テンプレートは、コンテンツ名称領域、タイトル領域、携帯端末情報領域、テキスト領域、画像領域、操作ボタンＡ領域、操作ボタンＢ１領域、操作ボタンＢ２領域、スクロールバー表示領域を有する。すなわち、図６Ａに示す混合テンプレートは、図４Ａに示す文章テンプレートと、図５Ａに示す画像テンプレートとを混合させたものであり、テキスト領域には、サーバ５によって提供される情報がテキストとして表示される。また、画像領域には、サーバ５によって提供される情報が画像として表示される。なお、テキスト領域及び画像領域以外の領域については、図４Ａに示す文章テンプレートと同じであるので、説明は割愛する。図６Ａに示す混合テンプレートに携帯端末３側で変換された図６Ｃに示す情報データを当てはめることで図６Ｂに示すような画面がディスプレイ２５に表示される。図６Ｂに示す例では、「ジャンル：イルミネーション」、「開催地：○○市  ○○遊園地」、「詳細：○○○○・・・・」といったテキストと共に、ライトアップされた遊園地を示す画像が表示されている。なお、詳しい情報（例えば、住所や開催日時など）は、テキスト領域や画像領域をタッチすることで表示するようにしてもよい。また、上記以外に例えば、表示内容を更新する「更新ボタン」を設けてもよい。例えば、表示内容が逐次更新される野球情報に関する情報や、表示すべき内容が完全に取得できなかった場合（例えば、テキストデータは取得できたが、画像データが取得できなかった場合）に有効である。
【００３９】
また、メモリ２０６は、上述した基本となる３つのテンプレート（文章テンプレート、画像テンプレート、混合テンプレート）に加えて、タブ付きテンプレート、メニュー画面テンプレートを格納する。図７Ａは、タブ付きテンプレートであり、図７Ｂは、タブ付きテンプレートに携帯端末３側で変換された情報データを当てはめた場合の表示例を示し、図７Ｃは、図７Ａのタブ付きテンプレートに対応する情報データを示す。また、図８Ａは、メニュー画面テンプレートであり、図８Ｂは、メニュー画面テンプレートに携帯端末３側で変換された情報データを当てはめた場合の表示例を示し、図８Ｃは、図８Ａのメニュー画面テンプレートに対応する情報データを示す。
【００４０】
図７Ａに示すタブ付きテンプレートは、コンテンツ名称領域、タイトル領域、携帯端末情報領域、操作ボタンＡ領域、操作ボタンＢ１領域、操作ボタンＢ２領域、スクロールバ
ー表示領域、リスト領域（リスト１、２、３、４）、タブ領域（タブ１、２、３）、操作ボタンＣ１領域、操作ボタンＣ２領域を有する。タブ領域には、画面表示していないタブページの情報のタイトルが表示される。例えば、スポーツ情報に関する情報であれば、種目、チーム名などがタブ候補となる。また、ニュースであれば、分野がタブ候補になる。さらに、スポット情報であれば、現在地周辺、目的地周辺、ルート沿い周辺などがタブ候補になる。リスト領域には、現在表示中のタブページに格納されている情報のリストが表示される。例えば、野球情報に関する情報であれば、１回表・裏などがリスト候補になる。操作ボタンＣ１領域には、他のタブが存在する場合に、前タブを要求するアイコンが表示される。操作ボタンＣ２領域には、他のタブが存在する場合に、次タブを要求するアイコンが表示される。操作ボタンＤ１領域には、他のリストが存在する場合に、前リストを要求するアイコンが表示される。操作ボタンＤ２領域には、他のリストが存在する場合に、次リストを要求するアイコンが表示される。スクロールバー表示領域には、前リスト、次リストの存在の有無が表示される。
【００４１】
図７Ａに示すタブ付きテンプレートに携帯端末３側で変換された図７Ｃに示す情報データを当てはめることで図７Ｂに示すような画面がディスプレイ２５に表示される。図７Ｂに示す例では、ドライブ情報として、タブページのタイトルとして、「いつも見る地域」、「周辺情報」、「全国情報」が表示されている。そして、現在、「いつも見る地域」が選択されており、「いつも見る地域」のリストとして、住所リストが表示されている。なお、タブ領域をタッチすることでタッチされたタブページが表示される。また、リスト領域をタッチすることでリスト領域の詳細情報が表示される。タブページへの移行時、又はリスト領域の詳細情報のページへの移行時は、情報データ要求がその都度され、要求されたページの情報データが１ページ単位で送信される。ここで、車載装置２がBluetoothマルチポイントアクセスに対応している場合、車両１内に複数の携帯端末との接続が可能となる。その際、タブ領域に、各携帯端末を表示し、タブの選択により携帯端末を選択できるようにしてもよい。
【００４２】
図８Ａに示すメニュー画面テンプレートは、コンテンツ名称領域、タイトル領域、携帯端末情報領域、メニュー領域を有する。メニュー領域には、情報のメニューがコンテンツ名称と画像（テキストでもよい）と共に表示されている。図８Ａに示すメニュー画面テンプレートに携帯端末３側で変換された図８Ｃに示す情報データを当てはめることで図８Ｂに示すような画面がディスプレイ２５に表示される。図８Ｂに示す例では、メニューとして、「グルメ情報」、「観光情報」、「ドライブ情報」、「地域情報」が表示されている。なお、メニュー領域の各メニューをタッチすることでタッチされたメニューに対応する情報が表示される。
【００４３】
（携帯端末）
携帯端末３は、サーバ５から提供される情報を取得し、情報に対応するデータを変換した上で変換された情報データを車載装置２へ送信する。ここで、図９は、携帯端末３の機能ブロック図を示す。図９に示すように、携帯端末３は、ＣＰＵ３４、携帯端末側制御部３１、操作部３２、表示部３３、カメラ３５、外部機器と接続可能なインターフェース部３６を備える。また、携帯端末側制御部３１は、端末側通信制御部３１１、検索部３１２、端末側データ送受信部３１３、データ変換部３１４、端末側メモリ３１５を備える。なお、携帯端末側制御部３１は、ＣＰＵ、メモリ等を含むコンピュータとコンピュータ上で実行されるプログラムによって実現することができる。また、携帯端末側制御部３１を構成する、端末側通信制御部３１１、検索部３１２、端末側データ送受信部３１３、データ変換部３１４は、専用のプロセッサによって構成してもよい。
【００４４】
ＣＰＵ３４は、各ハードウェアと接続され、例えば端末側メモリ３１５としてのＲＯＭに格納された制御プログラムに従って、所定の処理を実行する。端末側メモリ３１５は、
揮発性のＲＡＭと、不揮発性のＲＯＭとを含む。操作部３２は、携帯端末３を操作するのに必要な一般的な操作ボタンであればよく、タッチディスプレイ方式であってもよい。インターフェース部３６は、ナビゲーション装置２と通信可能なBluetooth用アンテナによって構成されている。但し、インターフェース部３６は、上記に加えて赤外線ポートやケーブルを接続するコネクタであってもよい。
【００４５】
検索部３１２は、操作部３２を介して入力される検索条件に基づいて情報提供サービス業者が提供する情報検索Ｗｅｂサイト（サーバ５）へアクセスする。この時、表示部３３には、情報提供サービス業者が提供する情報検索用のＷｅｂページが表示される。Ｗｅｂページでは、例えば、目的やお店のジャンル等を入力して検索を実行する。これにより、各種情報の取得が可能となる。また、ユーザ登録をし、ユーザの嗜好や取得したい情報を予め設定しておくことで、ユーザが興味のある情報のみを取得することができる。
【００４６】
端末側通信制御部３１１は、Bluetooth用アンテナからなるインターフェース部３６を介してプロファイル（例えば、ＨＦＰ、ＳＰＰ）を取得してハンズフリー接続、ＳＰＰ接続を実行する。端末側通信制御部３１１によるハンズフリー接続、ＳＰＰ接続の実行は、Bluetoothに関する既存の実行プログラム又は専用のプロセッサによって実現することができる。
【００４７】
端末側データ送受信部３１３は、サーバ５から提供される情報の他、車載装置２と間でデータの送受信を行う。サーバ５から提供される情報には、検索部３１２で検索される情報、ユーザによって予めカスタマイズされた情報が含まれる。車載装置２から受け取るデータには、車載装置２の識別情報に関するデータやページ要求に関するデータなどが含まれる。また、車載装置２に対して送るデータには、データ変換部３１４で変換される情報データが例示される。
【００４８】
データ変換部３１４は、サーバ５から提供される情報を車載装置２のディスプレイ２５に表示する際、情報が予め設定された表示態様によって表示されるように変換する。すなわち、サーバ５から取得される情報が、車載装置２が有するテンプレート（図４Ａ、図５Ａ、図６Ａ、図７Ａ、図８Ａ）に適合して車載装置２のディスプレイ２５に表示できるよう、サーバ５から提供されるデータを変換する。例えば、図４Ｃは、図４Ａの文章テンプレートに対応する情報データである。図４Ｃに示す情報データは、menu、page、total#pageなどのデータによって構成されている。従って、データ変換部３１４は、車載装置２において文章テンプレートに基づく表示態様とする場合、サーバ５から提供されるデータからmenu、page、total#pageなどの各データに必要な情報を抽出し、図４Ｃに示す情報データを、車載装置２のディスプレイ２５に表示される１ページ単位で生成する。情報データは、上記のほか、携帯電話の状態により変動するアイコンに関するデータ、「戻る」要求をするアイコンに関するデータ、表示内容の表示状況に関するデータ、前ページを要求するアイコンに関するデータ、次ページを要求するアイコンに関するデータ、表示される情報が逐次更新される更新情報であるか否かに関するデータ、表示する文章に関するデータ、表示する画像に関するデータ、を含む。なお、更新情報であるか否かについては、「更新情報ボタン」を設け、例えば「更新ボタン」の色を変えることで、更新情報か否かを表示し、かつ、更新の要求を受け付けるようにしてもよい。また、データ変換部３１４は、車載装置２において他のテンプレートに基づく表示態様とする場合、サーバ５から提供されるデータから各テンプレートに対応する情報データに必要な情報を抽出し、情報データを生成する。
【００４９】
端末側メモリ３１５は、携帯端末３に必要な各種制御プログラム、すなわち、端末側通信制御部３１１を構成するプログラム等を格納する。
【００５０】
＜処理フロー＞
次に、第一実施形態に係る情報提供システム４で行われる処理について図面に基づいて説明する。
【００５１】
（処理態様１）
処理態様１として、アクセサリ電源ＯＮ時に、ユーザごとに予めカスタマイズされた情報（個別情報）を車載装置２のディスプレイ２５に表示させる例について説明する。
【００５２】
図１０は、第一実施形態に係る情報提供システムで実行される処理態様１に係る処理フローを示す。また、図１１Ａ、図１１Ｂは、処理態様１における、車載装置２のディスプレイ２５の画面遷移を示す。まず、車載装置２側で実行される処理（ステップＳ０１から０４）を中心に説明する。ステップＳ０１では、車両１のアクセサリ電源がＯＮになる。これにより、車載装置２の電源がＯＮになる。この時、ディスプレイ２５には、オープニング画面が表示される（図１１Ａのオープニング画面参照）。車載装置２の電源がＯＮになるとステップＳ０２へ進む。
【００５３】
ステップＳ０２では、車載装置２の車載側通信制御部２０２により、ハンズフリー接続（以下、ＨＦＰ接続ともいう。）が実行される。すなわち、車載側通信制御部２０２は、プロファイル（ＨＦＰ）を取得してハンズフリー接続を実行する。その結果、車載装置２と携帯端末３とが常時接続状態となり、車両１の走行中にユーザ（運転者）が携帯端末３を手に持たず通話可能となる。ＨＦＰ接続が実行されると、ステップＳ０３へ進む。なお、携帯端末３では、車載装置２のＨＦＰ接続の実行に合わせて、ステップＳ１１において、ＨＦＰ接続が実行される。端末側通信制御部３１１は、プロファイル（ＨＦＰ）を取得してハンズフリー接続を実行する。
【００５４】
ステップＳ０３では、車載側通信制御部２０２により、情報データ等の受け渡しを行うためのプロファイル（例えば、ＳＰＰ）を用いた接続（以下、ＳＰＰ接続という。）が実行される。これにより、車載装置２と携帯端末３との間でデータの受け渡しが可能となる。ディスプレイ２５には、「携帯端末接続中」とのメッセージが表示される（図１１Ａの通信画面参照）。これにより、ユーザは、携帯端末接続が実行中であることを認識することができる。ＳＰＰ接続が実行されると、ステップＳ０４へ進む。なお、携帯端末３では、車載装置２のＳＰＰ接続の実行に合わせて、ステップＳ１２において、ＳＰＰ接続が実行される。端末側通信制御部３１１は、プロファイル（ＳＰＰ）を取得してＳＰＰ接続を実行する。
【００５５】
ステップＳ０４では、車載側データ送受信部２０３により、情報データが要求される。情報データの要求に際しては、情報データの要求と共に車載装置２を識別するための識別情報が携帯端末３に対して送信される。ディスプレイ２５には、「情報取得中」のメッセージが表示される（図１１Ａの情報取得画面参照）。「情報取得中」のメッセージは、省略、すなわち非表示としてもよい。情報取得画面には、情報データの取得状況、情報データの取得を中止させる中止ボタンが表示されている。なお、情報データ要求には、いずれのテンプレート（文章テンプレート、画像テンプレート、混合テンプレート）を用いるかについての指定を含めるようにしてもよい。但し、いずれのテンプレートを用いるかについては、携帯端末３側で指定するようにしてもよい。情報データの要求が行われるとステップＳ１３へ進む。以下、ステップＳ１８までの説明は、携帯端末３側で実行される処理に関する。
【００５６】
ステップＳ１３では、携帯端末３の端末側データ送受信部３１３により、情報データ要求が取得される。また、情報データ要求が取得される際、情報データ要求と共に車載装置２の識別情報が取得される。情報データ要求の取得が完了するとステップＳ１５へ進む。
なお、携帯端末３に予め処理するプログラムがインストールされていない場合、個別情報が表示されずにタイムアウトとなる。
【００５７】
なお、情報データ要求の取得が完了後、端末側データ送受信部３１３により、データの変換が可能か否か判断するようにしてもよい。例えば、端末側データ送受信部３１３により、データ変換部３１４が起動されているか否か、換言するとデータ変換をするためのプログラムが起動されているか否か判断する。データ変換部３１４が起動されている場合、換言するとデータ変換部３１４としてのプログラムが起動されている場合、ステップＳ１５へ進む。一方、データ変換部３１４が起動されていない場合には、データ変換部３１４を起動するようにしてもよい。なお、データ変換部３１４が存在しない場合、換言するとデータ変換部３１４としてのプログラムがインストールされていない場合には、データ変換部３１４としてのプログラムのインストールを実行するようにしてもよい。この場合には、プログラムがインストールされていない旨を車載装置２へ通知する。車載装置２には、予めデータ変換部３１４としてのプログラムのインストールを実行するための例えば導入部といった機能部を設けておく。そして、導入部がデータ変換部３１４としてのプログラムが格納されているＷｅｂ上のアドレス等を携帯端末３へ提供するようにしてもよい。
【００５８】
ステップＳ１５では、端末側データ送受信部３１３により、サーバ５によって提供される情報として、予めユーザによってカスタマイズされた個別情報が取得される。ここで、図１２は、サーバ５に格納されるデータベースの一例を示す。図１２に示す例では、サーバ５は、ジャンル毎のデータベース（例えば、グルメ情報、観光情報、ドライブ情報）を有する。これらのサーバ５に格納されている情報には、情報提供サービス業者が提供するＷｅｂサイトへ携帯端末３や端末６、７を通じてアクセス可能である。第一実施形態では、車載装置２に個別情報が表示される。この個別情報は、ユーザが嗜好する情報を携帯端末３や端末６、７を介してＷｅｂサイトへアクセスすることでカスタマイズすることができる。また、Ｗｅｂページでは、例えば目的やお店のジャンル等を入力することで種々の情報を得ることができる。処理態様１における以下の説明では、個別情報として、「ゴルフ用品セール情報」が提供されるよう予めＷｅｂサイトを通じて設定した場合を例に説明する。個別情報の取得が完了するとステップＳ１７へ進む。
【００５９】
ステップＳ１７では、データ変換部３１４により、取得された情報（処理態様１では、「ゴルフ用品セール情報」に関する個別情報）を車載装置２のディスプレイ２５に表示する際、この情報が予め設定された表示態様によって表示されるように変換する。情報データ要求においてテンプレートの指定がある場合には、指定されたテンプレートに対応する情報データが生成される。また、携帯端末３側でテンプレートを指定する場合、指定したテンプレートに対応する情報データが生成される。例えば、混合テンプレートに基づく表示態様によって、上記「ゴルフ用品セール情報」に関する個別情報を車載装置２のディスプレイ２５に表示させる場合、データ変換部３１４は、図６Ｃに例示される情報データと同様のデータ構成に必要なデータをサーバ５から供給されるデータから抽出し、生成する。情報データが生成されると、ステップＳ１８へ進む。
【００６０】
ステップＳ１８では、端末側データ送受信部３１３により、情報データが送信される。情報データの送信が完了するとステップＳ０５へ進む。以下、ステップＳ０９までの説明は、車載装置２側で実行される処理に関する。
【００６１】
ステップＳ０５では、車載側データ送受信部２０３により、情報データが取得される。情報データが取得されると、ステップＳ０６へ進む。
【００６２】
ステップＳ０６では、情報データ処理部２０４により、メモリ２０６に格納されている、予め設定された表示態様に対応するテンプレートに、取得される情報データを適合させ
る処理が行われ、ステップＳ０７では、情報がディスプレイ２５に表示される（図１１Ｂの情報表示画面参照）。図１１Ｂに示す情報表示画面では、個別情報として、「ゴルフ用品セール情報」が表示されている。より詳細には、○○ゴルフショップのタイムセールに関する情報と共に、これに対応する画像が表示されている。アクセサリ電源がＯＮとされることで、このような個別情報がディスプレイ２５に表示されるので、ユーザは、ユーザにとって有益な情報を、エンジンを始動させる際の暖機時間を利用して得ることができる。個別情報は、携帯端末３やサーバ５に接続可能な端末６、７を通じてユーザ登録をし、ユーザの嗜好や取得したい情報を予め設定しておくことで、ユーザが興味のある情報のみを取得することができる。例えば、ゴミ出しの日、スーパーの特売日などをユーザ登録時にしておき、これらの個別情報がアクセサリ電源をＯＮにした際に表示されるようにしてもよい。個別情報の表示が完了すると、ステップＳ０８へ進む。
【００６３】
ステップＳ０８では、受付部２０５により、ユーザの指示が受け付けられる。図１１Ｂに示す情報表示画面には、「情報消しボタン」と「詳細ボタン」が表示されている。「情報消しボタン」がタッチされると、「ゴルフ用品セール情報」が画面から消去される。一方、「詳細ボタン」がタッチされると、詳細画面に切り替わる。より詳細には、処理態様１では、「情報消しボタン」若しくは「詳細ボタン」を介してユーザの指示が受け付けられる。「情報消しボタン」がタッチされると、「ゴルフ用品セール情報」がディスプレイ２５の画面から消去される。この場合、ステップＳ０９へ進まず、処理が終了する。また、いずれのボタンにもタッチされない場合にも、一定時間経過後に「ゴルフ用品セール情報」がディスプレイ２５の画面から消去され、処理が終了する。ユーザの指示が受け付けられる（本態様では、「詳細ボタン」がタッチされる）と、ステップＳ０９へ進む。
【００６４】
ステップＳ０９では、車載側データ送受信部２０３により、再度、情報データが要求される。処理態様１では、「ゴルフ用品セール情報」の詳細情報に対応する情報データが要求される。ディスプレイ２５には、「情報取得中」のメッセージが表示される（図１１Ｂの詳細情報取得画面参照）。情報データの要求が行われるとステップＳ１９へ進む。以下、ステップＳ２１までの説明は、携帯端末３側で実行される処理に関する。なお、ステップＳ１９から２１までの処理は、上述したステップＳ１５、１７、１８に対応する。
【００６５】
ステップＳ１９では、端末側データ送受信部３１３により、サーバ５によって提供される情報として、予めユーザによってカスタマイズされた個別情報、特に詳細情報が取得される。続いて、ステップＳ２０では、データ変換部３１４により、「ゴルフ用品セール情報」に関する個別情報の詳細情報を車載装置２のディスプレイ２５に表示する際、この情報が予め設定された表示態様によって表示されるように変換される。続いて、ステップＳ２１では、端末側データ送受信部３１３により、情報データが送信される。情報データが送信されると、ステップＳ１０へ進む。以下、ステップＳ１２までの説明は、車載装置２側で実行される処理に関する。なお、ステップＳ１０から１２までの処理は、上述したステップＳ０５から０７に対応する。
【００６６】
具体的には、ステップＳ１０では、車載側データ送受信部２０３により、個別情報の詳細情報の情報データが取得される。続いて、ステップＳ１１では、情報データ処理部２０４により、メモリ２０６に格納されている、予め設定された表示態様に対応するテンプレートに、取得される情報データを適合させる処理が実行され、続いてステップ１１では、詳細情報がディスプレイ２５に表示される（図１１Ｂの詳細表示画面参照）。詳細情報表示画面には、個別情報の詳細情報として、セール対象となるゴルフクラブの値段及び対応する画像が表示されている。詳細情報の表示が完了すると、再度ステップＳ０８へ進む。
【００６７】
以上説明したように、第一実施形態に係る情報提供システム４において処理態様１が実行されると、アクセサリ電源がＯＮになると、車載装置２と携帯端末３が自動的に通信を
開始し、その後車載装置２のディスプレイ２５に個別情報が表示される。従って、ユーザ固有の情報である個別情報を、例えば車両１のエンジン始動させる際の暖機時間を利用して得ることができる。
【００６８】
（処理態様２）
次に処理態様２について説明する。処理態様１では、アクセサリ電源がＯＮになると自動的に個別情報が車載装置２のディスプレイ２５に表示されたが、処理態様２では、車載装置２の起動後、「情報ボタン」が表示され、「情報ボタン」がタッチされることで情報の取得が開始される。つまり、ユーザの意思に基づいて情報の取得が可能となる。
【００６９】
ここで、図１３は、第一実施形態に係る情報提供システムで実行される処理態様２に係る処理フローを示す。また、図１４Ａ、図１４Ｂ、図１４Ｃは、処理態様２における、車載装置２のディスプレイ２５の画面遷移を示す。処理態様２においても、処理態様１と同じく、車載装置２の電源がＯＮになり、ＨＦＰ接続が実行される（ステップＳ０１、０２）。ＨＦＰ接続が実行されると、ステップＳ０２−１へ進む。
【００７０】
ステップＳ０２−１では、ディスプレイ２５に、「情報ボタン」が他のボタンと共に表示され（図１４Ａの情報取得受付画面参照。）、ユーザの指示が受け付けられる。また、ディスプレイ２５には、「情報ボタン」に加えて、ＣＤデッキを起動する「ＣＤボタン」、ＤＶＤデッキを起動する「ＤＶＤボタン」、テレビジョン放送を視聴するための「ＴＶボタン」、ラジオ放送を聴くための「ラジオボタン」が表示される。なお、他のボタンには、上記のほか、例えば、図４Ｂに示すように、「お天気ボタン」、「ガソリン価格ボタン」、「ＴＶスポットボタン」、「ニュースボタン」を表示するようにしてもよい。「情報ボタン」を含む各ボタンが表示される画面は、オープニング画面の起動後自動的に表示されるように予め車載装置２で設定することができる。ユーザの指示が受け付けられると、換言すると「情報ボタン」がタッチされると、ステップＳ０３へ進む。なお、「情報ボタン」を含む画面に関するデータも、携帯端末３から送信される情報データに含めてもよい。この場合、「情報ボタン」を含む画面は、後述するステップＳ０５の処理の終了後に表示するようにしてもよい。
【００７１】
ステップＳ０３では、車載側通信制御部２０２により、情報データ等の受け渡しを行うためのプロファイル（例えば、ＳＰＰ）を用いたＳＰＰ接続が実行される。ディスプレイ２５には、「携帯端末接続中」とのメッセージが表示される（図１４Ｂ通信画面参照）。ＳＰＰ接続が実行されると、ステップＳ０４へ進む。なお、携帯端末３では、車載装置２のＳＰＰ接続の実行に合わせて、ステップＳ１２において、ＳＰＰ接続が実行される。
【００７２】
ステップＳ０４では、車載側データ送受信部２０３により、情報データが要求される。ディスプレイ２５には、「情報取得中」のメッセージが表示される（図１４Ｂの情報取得画面参照）。なお、処理態様２では、メニュー画面（図８Ｂ参照）を表示させるための情報データが要求される。情報データの要求が行われるとステップＳ１３へ進む。以下、ステップＳ１８までの説明は、携帯端末３側で実行される処理に関する。
【００７３】
ステップＳ１３では、携帯端末３の端末側データ送受信部３１３により、メニュー画面を表示させるための情報データ要求が取得される。情報データ要求の取得が完了するとステップＳ１５へ進む。なお、携帯端末３に予め処理するプログラムがインストールされていない場合、個別情報が表示されずにタイムアウトとなる。なお、処理態様１で説明したように、処理態様２においても、情報データ要求の取得が完了後、端末側データ送受信部３１３により、データの変換が可能か否か判断するようにしてもよい。
【００７４】
ステップＳ１５では、端末側データ送受信部３１３により、サーバ５によって提供され
る情報として、メニュー画面を表示するために必要な情報が取得される。メニュー画面を表示するために必要な情報の取得が完了するとステップＳ１７へ進む。
【００７５】
ステップＳ１７では、データ変換部３１４により、メニュー画面を車載装置２のディスプレイ２５に表示する際、予め設定された表示態様によって表示されるように変換する。具体的には、混合テンプレートに基づく表示態様によって、上記「ゴルフ用品セール情報」に関する個別情報を車載装置２のディスプレイ２５に表示させる場合、図８Ｃに例示されるような情報データに必要なデータをサーバ５から供給されるデータから抽出し、図８Ａに示すメニュー画面テンプレートに情報データを当てはめることでメニュー画面が表示されるように情報データを生成する。情報データが生成されると、ステップＳ１８へ進む。
【００７６】
ステップＳ１８では、端末側データ送受信部３１３により、メニュー画面を表示するための情報データが送信される。メニュー画面を表示するための情報データの送信が完了するとステップＳ０５へ進む。以下、ステップＳ１８までの説明は、車載装置２側で実行される処理に関する。
【００７７】
ステップＳ０５では、車載側データ送受信部２０３により、メニュー画面を表示するための情報データが取得される。メニュー画面を表示するための情報データが取得されると、ステップＳ０６へ進む。
【００７８】
ステップＳ０６では、情報データ処理部２０４により、メモリ２０６に格納されている、メニュー画面テンプレートに、メニュー画面を表示するための情報データを適合させる処理が行われる。そして、ステップＳ０７では、情報としてメニュー画面がディスプレイ２５に表示される（図１４Ｃのメニュー画面参照）。メニュー画面の表示が完了すると、ステップＳ０８へ進む。
【００７９】
ステップＳ０８では、受付部２０５により、ユーザの指示が受け付けられる。図１４Ｃに示すメニュー画面には、「グルメ情報」、「観光情報」、「ドライブ情報」、「地域情報」等の各種メニューボタンが表示されており、いずれかのメニューボタンがタッチされると各メニューページへ移行する。ユーザの指示が受け付けられると、ステップＳ０９へ進む。
【００８０】
ステップＳ０９では、車載側データ送受信部２０３により、再度、情報データが要求される。処理態様２では、タッチされたメニューボタンに対応する情報の情報データ（本態様では、ドライブ情報の情報データ）が要求される。ディスプレイ２５には、「情報取得中」のメッセージが表示される（図１４Ｃの情報取得画面参照）。情報データの要求が行われるとステップＳ１９へ進む。以下、ステップＳ２１までの説明は、携帯端末３側で実行される処理に関する。なお、ステップＳ１９から２１までの処理は、上述したステップＳ１５、１７、１８に対応する。
【００８１】
ステップＳ１９では、端末側データ送受信部３１３により、サーバ５によって提供される情報として、ドライブ情報が取得される。続いて、ステップＳ２０では、データ変換部３１４により、ドライブ情報を車載装置２のディスプレイ２５に表示する際、このドライブ情報が予め設定された表示態様によって表示されるように変換される。本態様では、サーバ５から提供されるドライブ情報に関するデータが、混合テンプレートを用いて表示されるように変換される。続いて、ステップＳ２１では、端末側データ送受信部３１３により、ドライブ情報に関する情報データが送信される。ドライブ情報に関する情報データが送信されると、ステップＳ１０へ進む。以下、ステップＳ１２までの説明は、車載装置２側で実行される処理に関する。なお、ステップＳ１０から１２までの処理は、上述したス
テップＳ０５から０７に対応する。
【００８２】
ステップＳ１０では、車載側データ送受信部２０３により、ドライブ情報に関する情報データが取得される。続いて、ステップＳ１１では、情報データ処理部２０４により、メモリ２０６に格納されている、混合テンプレートに、取得されるドライブ情報に関する情報データを適合させる処理が実行される。続いて、ステップ１１では、ドライブ情報がディスプレイ２５に表示される（図１４Ｃの情報表示画面参照）。図１４Ｃの情報表示画面には、ドライブ情報として、「ジャンル：イルミネーション」、「開催地：○○市  ○○遊園地」、「詳細：○○○○・・・・」といったテキストと共に、ライトアップされた遊園地を示す画像が表示されている。ドライブ情報の表示が完了すると、再度ステップＳ０８へ進む。そして、例えば、図１４Ｃの情報表示画面において、テキスト領域や画像領域がタッチされると、ドライブ情報の更なる詳細情報の取得が開始される。
【００８３】
以上説明したように、第一実施形態に係る情報提供システム４において処理態２が実行されると、アクセサリ電源がＯＮになり、車載装置２と携帯端末３が自動的に通信を開始し、かつ、車載装置２のディスプレイ２５には、「情報ボタン」が他のボタンと共に表示される。そして、「情報ボタン」としての「情報ボタン」がタッチされることで情報の取得が開始されるので、ユーザの意思に基づいて情報の取得が可能となる。
【００８４】
[第二実施形態]
次に第二実施形態に係る情報提供システム４ａについて説明する。ここで、図１５は、第二実施形態に係る情報提供システム４ａの概略構成を示す。第二実施形態に係る情報提供システム４ａは、車両１に搭載された車載装置２ａと、サーバ５が提供する情報をネットワークを通じて取得可能な携帯端末３とを備える。サーバ５は、携帯端末３の他、コンピュータからなる複数の端末６、７と接続されている。なお、第一実施形態に係る情報提供システム４と異なる点は、車載装置２ａがナビゲーション機能を備えている点である。それ以外の構成は、第一実施形態に係る情報提供システム４と同じである。そこで、第一実施形態に係る情報提供システム４と同様の構成については、同一符号を付すことで詳細な説明は省略するものとする。
【００８５】
（車載装置）
図１６は、第二実施形態に係る車載装置２ａの概略構成を示す。第二実施形態に係る車載装置２ａは、第一実施形態に係る車載装置２と異なり、ナビゲーション機能を備える。具体的には、第一実施形態に係る車載装置２は、ディスク再生部２１と、メモリーカード再生部２２、ＴＶ受信部２３と、ラジオ受信部２４と、ディスプレイ２５と、操作部２６と、通信部２７と、ＧＰＳ情報受信部２８と、これらと電気的に接続される制御部２０ａと、を有する。
【００８６】
ＧＰＳ情報受信部２８は、ＧＰＳ（Global Positioning System）情報を受信する。ＧＰＳ情報受信部２８は、図示せぬＧＰＳ用受信アンテナによって構成することができる。
【００８７】
次に、第二実施形態に係る車載装置２ａの制御部２０ａついて説明する。図１７は、第一実施形態に係る車載装置２の機能ブロック図を示す。図１７に示すように、制御部２０ａは、再生処理部２０１、車載側通信制御部２０２、車載側データ送受信部２０３、情報データ処理部２０４、受付部２０５、メモリ２０６、カメラ処理部２０７、経路探索部２０８を備える。なお、制御部２０ａは、ＣＰＵ、メモリ等を含むコンピュータとコンピュータ上で実行されるプログラムによって実現することができる。また、制御部２０ａを構成する、再生処理２０１、車載側通信制御部２０２、車載側データ送受信部２０３、情報データ処理部２０４、受付部２０５、メモリ２０６、カメラ処理部２０７、経路探索部２０８は、専用のプロセッサによって構成してもよい。
【００８８】
経路探索部２０８は、目的地に関する経度緯度情報（以下、目的地情報ともいう。）と現在地に関する経度緯度情報（以下、現在地情報ともいう。）とに基づいて経路探索を行う。現在置情報は、携帯端末３から受けてもよく車載装置２ａのＧＰＳ情報受信部２８から得てもよい。経路探索部２０８による経路探索は、既存のナビゲーション装置に用いられている経路探索プログラムによって実現することができる。
【００８９】
メモリ２０６は、第一実施形態と同じく、車載装置２に必要な各種制御プログラムの他、予め設定された表示態様に対応するテンプレートを格納する。ここで、第二実施形態に係る車載装置２ａのメモリ２０６に格納されるテンプレートは、第一実施形態におけるテンプレートと多少異なることから、相違点について説明する。
【００９０】
ここで、図１８Ａは、情報を文章のみで表示する文章態様に対応する文章テンプレートであり、図１８Ｂは、文章テンプレートに携帯端末３側で変換された情報データを当てはめた場合の表示例を示し、図１８Ｃは、図１８Ａの文章テンプレートに対応する情報データを示す。また、図１９Ａは、情報を画像のみで表示する画像態様に対応する画像テンプレートであり、図１９Ｂは、画像テンプレートに情報データを当てはめた場合の表示例を示し、図１９Ｃは、図１９Ａの画像テンプレートに対応する情報データを示す。更に、図２０Ａは、情報を文章及び画像で表示する混合態様に対応する混合テンプレートであり、図２０Ｂは、混合テンプレートに情報データを当てはめた場合の表示例を示し、図２０Ｃは、図２０Ａの混合テンプレートに対応する情報データを示す。
【００９１】
図１８Ａに示す文章テンプレートは、コンテンツ名称領域、タイトル領域、携帯端末情報領域、テキスト領域、操作ボタンＡ領域、操作ボタンＢ１領域、操作ボタンＢ２領域、スクロールバー表示領域といった第一実施形態と同様の領域に加えて、操作ボタンＣ領域を更に有する。操作ボタンＣ領域には、ナビゲーション機能の実行を要求するアイコンが表示される。より具体的には、操作ボタンＣ領域には、携帯端末３からの情報データに基づいて表示される情報の中から目的地を決定する場合において、ナビゲーション機能の実行を要求するアイコンが表示される。操作ボタンＣ領域に表示される「ここに行くボタン」がタッチされると、図１８Ｂに示す表示例であれば、「○○市  ○○遊園地」への経路誘導（ナビゲーション）が開始されることになる。すなわち、第二実施形態に係る情報提供システム４ａでは、車載装置２ａがナビゲーション機能を有することで、携帯端末３で取得可能であるユーザにとって有益な情報を、車載装置２ａのディスプレイ２５に表示させるとともに、表示された情報の中から目的地を決定して、経路誘導することができる。図１８に示す情報データのうち、point  は、「ここへ行くボタン」がタッチされた場合に、経路誘導を実現するための地点座標に関するデータである。
【００９２】
図１９Ａに示す画像テンプレートは、コンテンツ名称領域、タイトル領域、携帯端末情報領域、画像領域、操作ボタンＡ領域、操作ボタンＢ１領域、操作ボタンＢ２領域、スクロールバー表示領域といった第一実施形態と同様の領域に加えて、操作ボタンＣ領域を更に有する。
【００９３】
図２０Ａに示す混合テンプレートは、コンテンツ名称領域、タイトル領域、携帯端末情報領域、テキスト領域、画像領域、操作ボタンＡ領域、操作ボタンＢ１領域、操作ボタンＢ２領域、スクロールバー表示領域といった第一実施形態と同様の領域に加えて、操作ボタンＣ領域を更に有する。なお、説明は割愛するが、第二実施形態に係る車載装置２ａのメモリ２０６には、上述した基本となる３つのテンプレート（文章テンプレート、画像テンプレート、混合テンプレート）に加えて、タブ付きテンプレート、メニュー画面テンプレートが格納される。
【００９４】
＜処理フロー＞
次に、第二実施形態に係る情報提供システム４ａで行われる処理について図面に基づいて説明する。
【００９５】
（処理態様３）
処理態様３として、アクセサリ電源ＯＮ時に、ユーザごとに予めカスタマイズされた情報（個別情報）を車載装置２ａのディスプレイ２５に表示させる例について説明する。なお、処理態様３は、上述した処理態様１と近い処理である。従って、以下の説明では、処理態様１と同様の処理については、説明を簡略化する。
【００９６】
図２１は、第二実施形態に係る情報提供システムで実行される処理態様３に係る処理フローを示す。また、図２２Ａ、図２２Ｂは、処理態様３における、車載装置２ａのディスプレイ２５の画面遷移を示す。まず、車載装置２ａ側で実行される処理（ステップＳ０１から０４）を中心に説明する。ステップＳ０１では、車両１のアクセサリ電源がＯＮになる。これにより、車載装置２の電源がＯＮになる。この時、ディスプレイ２５には、オープニング画面が表示される（図２２Ａのオープニング画面参照）。車載装置２の電源がＯＮになるとステップＳ０２へ進む。
【００９７】
ステップＳ０２では、車載装置２の車載側通信制御部２０２により、ＨＦＰ接続が実行され、ステップＳ０３では、車載側通信制御部２０２により、ＳＰＰ接続が実行される。なお、携帯端末３では、車載装置２のＨＦＰ接続の実行に合わせて、ステップＳ１１において、ＨＦＰ接続が実行される。端末側通信制御部３１１は、プロファイル（ＨＦＰ）を取得してハンズフリー接続を実行する。ディスプレイ２５には、「携帯端末接続中」とのメッセージが、ナビ画面の上に表示される（図２２Ａの通信画面参照）。「携帯端末接続中」の背景に表示されるナビ画面には、地図を縮小する「縮図ボタン」、地図を拡大する「拡大図ボタン」、ナビゲーション機能のメニュー画面に遷移する「メニューボタン」、目的地を設定するための「目的地ボタン」、周辺地図を呼び出す「周辺ボタン」、予め登録されている自宅への経路誘導を開始する「自宅ボタン」などのアイコンが表示されている。
【００９８】
ステップＳ０４では、車載側データ送受信部２０３により、情報データが要求される。情報データの要求に際しては、情報データの要求と共に車載装置２ａを識別するための識別情報が携帯端末３に対して送信される。また、第二実施形態に係る情報提供システム４ａでは、車載装置２ａで取得される現在地情報（経度緯度情報）も携帯端末３に対して送信される。ディスプレイ２５には、「情報取得中」のメッセージがナビ画面上に表示される（図２２Ａの情報取得画面参照）。「情報取得中」のメッセージは、省略、すなわち非表示としてもよい。情報データの要求が行われるとステップＳ１３へ進む。以下、ステップＳ１８までの説明は、携帯端末３側で実行される処理に関する。
【００９９】
ステップＳ１３では、携帯端末３の端末側データ送受信部３１３により、情報データ要求が取得される。また、情報データ要求が取得される際、情報データ要求と共に車載装置２の識別情報、現在地情報が取得される。この現在地情報に基づいて、サーバ５から携帯端末３に対して提供される情報が選択される。例えば、グルメ情報、観光情報、ドライブ情報、地域情報について、現在地の周辺の情報が提供されることになる。情報データ要求の取得が完了するとステップＳ１５へ進む。なお、携帯端末３に予め処理するプログラムがインストールされていない場合、個別情報が表示されずにタイムアウトとなる。情報データ要求の取得が完了後、実施形態１と同じく、端末側データ送受信部３１３により、データの変換が可能か否か判断するようにしてもよい。
【０１００】
ステップＳ１５では、端末側データ送受信部３１３により、サーバ５によって提供され
る情報として、予めユーザによってカスタマイズされた個別情報が取得される。この提供される個別情報が位置に関係する情報である場合には、現在地が考慮された個別情報が取得される。例えば、処理態様１と同じく、個別情報として、「ゴルフ用品セール情報」が提供されるよう予めＷｅｂサイトを通じて設定した場合において、現在地周辺の「ゴルフ用品セール情報」が提供される。以下、処理態様における説明では、個別情報として、「ゴルフ用品セール情報」が提供される場合を例に説明する。個別情報の取得が完了するとステップＳ１７へ進む。
【０１０１】
ステップＳ１７では、データ変換部３１４により、現在地周辺の「ゴルフ用品セール情報」に関する個別情報を車載装置２のディスプレイ２５に表示する際、この情報が予め設定された表示態様によって表示されるように変換される。すなわち、データ変換部３１４は、図２０Ｃに例示されるような情報データと同様のデータ構成に必要なデータをサーバ５から供給されるデータから抽出し、生成する。情報データが生成されると、ステップＳ１８へ進む。
【０１０２】
ステップＳ１８では、端末側データ送受信部３１３により、情報データが送信される。情報データの送信が完了するとステップＳ０５へ進む。以下、ステップＳ１８までの説明は、車載装置２側で実行される処理に関する。
【０１０３】
ステップＳ０５では、車載側データ送受信部２０３により、情報データが取得される。情報データが取得されると、ステップＳ０６へ進む。ステップＳ０６では、情報データ処理部２０４により、メモリ２０６に格納されている混合テンプレートに、取得される情報データを適合させる処理が行われ、ステップＳ０７では、情報がディスプレイ２５に表示される（図２２Ｂの情報表示画面参照）。情報表示画面では、個別情報として、現在地周辺の「ゴルフ用品セール情報」が表示されるとともに、「ここに行くボタン」も表示されている。「ここに行くボタン」がタッチされると、○○ゴルフショップへの経路誘導が開始される（後述するステップＳ０８−２）。アクセサリ電源がＯＮとされることで、このような現在地周辺の個別情報がディスプレイ２５に表示されるので、ユーザは、ユーザにとって有益な情報を、エンジンを始動させる際の暖機時間を利用して得ることができる。また、現在地周辺の情報であることから、ユーザの購買意欲が向上する。換言すると、宣伝効果が高まる。個別情報の表示が完了すると、ステップＳ０８へ進む。
【０１０４】
ステップＳ０８では、受付部２０５により、ユーザの指示が受け付けられる。続いて、ステップＳ０８−１では、ナビ要求があるか否か判断される。具体的には、「ここへ行くボタン」がタッチされると、ステップＳ０８−２へ進み、経路誘導が開始される。一方、「ここへ行くボタン」がタッチされない場合、ステップＳ０９へ進む。図２２Ｂに示す詳細情報表示画面には、「情報消しボタン」と「詳細ボタン」が表示されており、「情報消しボタン」がタッチされると、「ゴルフ用品セール情報」が画面から消去される。一方、「詳細ボタン」がタッチされると、詳細画面に切り替わる。
【０１０５】
ステップＳ０９では、車載側データ送受信部２０３により、再度、情報データが要求される。処理態様３では、現在地周辺の「ゴルフ用品セール情報」の詳細情報に対応する情報データが要求される。ディスプレイ２５には、「情報取得中」のメッセージが表示される（図２２Ｂの詳細情報取得画面参照）。情報データの要求が行われるとステップＳ１９へ進む。以下、ステップＳ２１までの説明は、携帯端末３側で実行される処理に関する。なお、ステップＳ１９から２１までの処理は、上述したステップＳ１５、１７、１８に対応する。
【０１０６】
ステップＳ１９では、端末側データ送受信部３１３により、サーバ５によって提供される情報として、現在地周辺の「ゴルフ用品セール情報」に関する個別情報の詳細情報が取
得される。続いて、ステップＳ２０では、データ変換部３１４により、現在地周辺の「ゴルフ用品セール情報」に関する個別情報の詳細情報を車載装置２のディスプレイ２５に表示する際、この情報が予め設定された表示態様によって表示されるように変換される。続いて、ステップＳ２１では、端末側データ送受信部３１３により、情報データが送信される。情報データが送信されると、ステップＳ１０へ進む。以下、ステップＳ１２までの説明は、車載装置２ａ側で実行される処理に関する。なお、ステップＳ１０から１２までの処理は、上述したステップＳ０５から０７に対応する。
【０１０７】
ステップＳ１０では、車載側データ送受信部２０３により、個別情報の詳細情報の情報データが取得される。続いて、ステップＳ１１では、情報データ処理部２０４により、メモリ２０６に格納されている、予め設定された表示態様に対応するテンプレートに、取得される情報データを適合させる処理が実行され、続いてステップ１１では、詳細情報がディスプレイ２５に表示される（図２２Ｂの詳細情報表示画面参照）。詳細情報表示画面には、個別情報の詳細情報として、セール対象となるゴルフクラブの値段及び対応する画像が表示されている。詳細情報の表示が完了すると、ステップＳ１２−１へ進む。
【０１０８】
ステップＳ１２−１では、ユーザの指示が受け付けられる。続いて、ステップＳ１２−２へ進み、ナビ要求があるか否か判断される。具体的には、「ここへ行くボタン」がタッチされると、ステップＳ０８−２へ進み、経路誘導が開始される。一方、「ここへ行くボタン」がタッチされない場合、再度ステップＳ０８へ進む。
【０１０９】
以上説明したように、第二実施形態に係る情報提供システム４ａにおいて処理態様３が実行されると、アクセサリ電源がＯＮになると、車載装置２ａと携帯端末３が自動的に通信を開始し、その後車載装置２ａのディスプレイ２５に現在地を加味した個別情報が表示される。従って、よりユーザにとって有益な個別情報を、例えば車両１のエンジン始動させる際の暖機時間を利用して得ることができる。
【０１１０】
（処理態様４）
次に処理態様４について説明する。処理態様３では、アクセサリ電源がＯＮになると自動的に個別情報が車載装置２ａのディスプレイ２５に表示されたが、処理態様４では、車載装置２ａの起動後、「情報ボタン」が表示され、「情報ボタン」がタッチされることで情報の取得が開始される。つまり、ユーザの意思に基づいて情報の取得が可能となる。なお、処理態様３には、上述した処理態様２及び３と同様の処理が存在する。従って、以下の説明では、処理態様１と同様の処理については、説明を簡略化する。
【０１１１】
ここで、図２３は、第二実施形態に係る情報提供システムで実行される処理態様４に係る処理フローを示す。また、図２４Ａ、図２４Ｂ、図２４Ｃは、処理態様４における、車載装置２ａのディスプレイ２５の画面遷移を示す。処理態様４においても、処理態様３と同じく、車載装置２ａの電源がＯＮになり、ＨＦＰ接続が実行される（ステップＳ０１、０２）。ＨＦＰ接続が実行されると、ステップＳ０２−１へ進む。
【０１１２】
ステップＳ０２−１では、ディスプレイ２５のナビ画面上に、「情報ボタン」が表示され、ユーザの指示が受け付けられる（図２４Ａの受付画面参照）。ユーザの指示が受け付けられると、換言すると「情報ボタン」がタッチされると、ステップＳ０３へ進む。なお、本実施形態では、ナビゲーション装置の画面上に「情報ボタン」が表示されているが、オープニング画面の起動後、例えば図４Ｂに示すように、「お天気ボタン」、「ガソリン価格ボタン」、「ＴＶスポットボタン」、「ニュースボタン」を表示するようにしてもよい。このような画面表示は、オープニング画面の起動後自動的に表示されるように予め車載装置２で設定することができる。
【０１１３】
ステップＳ０３では、車載側通信制御部２０２により、ＳＰＰ接続が実行される。ディスプレイ２５には、「携帯端末接続中」とのメッセージが表示される（図２４Ｂ通信画面参照）。ＳＰＰ接続が実行されると、ステップＳ０４へ進む。なお、携帯端末３では、車載装置２のＳＰＰ接続の実行に合わせて、ステップＳ１２において、ＳＰＰ接続が実行される。
【０１１４】
ステップＳ０４では、車載側データ送受信部２０３により、情報データが要求される。情報データの要求に際しては、情報データの要求と共に車載装置２ａを識別するための識別情報が携帯端末３に対して送信される。また、第二実施形態に係る情報提供システム４ａでは、車載装置２ａで取得される現在地情報（経度緯度情報）も携帯端末３に対して送信される。ディスプレイ２５には、「情報取得中」のメッセージがナビ画面上に表示される（図２４Ｂの情報取得画面参照）。情報データの要求が行われるとステップＳ１３へ進む。以下、ステップＳ１８までの説明は、携帯端末３側で実行される処理に関する。
【０１１５】
ステップＳ１３では、携帯端末３の端末側データ送受信部３１３により、メニュー画面を表示させるための情報データ要求が取得される。また、情報データ要求が取得される際、情報データ要求と共に車載装置２の識別情報、現在地情報が取得される。この現在地情報に基づいて、サーバ５から携帯端末３に対して提供される情報が選択される。例えば、グルメ情報、観光情報、ドライブ情報、地域情報について、現在地の周辺の情報が提供されることになる。情報データ要求の取得が完了するとステップＳ１５へ進む。なお、携帯端末３に予め処理するプログラムがインストールされていない場合、個別情報が表示されずにタイムアウトとなる。処理態様４においても、情報データ要求の取得が完了後、端末側データ送受信部３１３により、データの変換が可能か否か判断するようにしてもよい。
【０１１６】
ステップＳ１５では、端末側データ送受信部３１３により、サーバ５によって提供される情報として、メニュー画面を表示するために必要な情報が取得される。メニュー画面を表示するために必要な情報の取得が完了するとステップＳ１７へ進む。
【０１１７】
ステップＳ１７では、データ変換部３１４により、メニュー画面を車載装置２のディスプレイ２５に表示する際、予め設定された表示態様によって表示されるように変換される。具体的には、メニュー画面を車載装置２ａのディスプレイ２５に表示させる場合、図８Ｃに例示されるような情報データに必要なデータをサーバ５から供給されるデータから抽出し、図８Ａに示すメニュー画面テンプレートに情報データを当てはめることでメニュー画面が表示されるように情報データを生成する。情報データが生成されると、ステップＳ１８へ進む。
【０１１８】
ステップＳ１８では、端末側データ送受信部３１３により、メニュー画面を表示するための情報データが送信される。メニュー画面を表示するための情報データの送信が完了するとステップＳ０５へ進む。以下、ステップＳ０９までの説明は、車載装置２側で実行される処理に関する。
【０１１９】
ステップＳ０５では、車載側データ送受信部２０３により、メニュー画面を表示するための情報データが取得される。メニュー画面を表示するための情報データが取得されると、ステップＳ０６へ進む。
【０１２０】
ステップＳ０６では、情報データ処理部２０４により、メモリ２０６に格納されている、メニュー画面テンプレートに、メニュー画面を表示するための情報データを適合させる処理が行われる。そして、ステップＳ０７では、情報としてメニュー画面がディスプレイ２５に表示される（図２４Ｃのメニュー画面参照）。メニュー画面の表示が完了すると、ステップＳ０８へ進む。
【０１２１】
ステップＳ０８では、受付部２０５により、ユーザの指示が受け付けられる。図２４Ｃに示すメニュー画面には、「グルメ情報」、「観光情報」、「ドライブ情報」、「地域情報」等の各種メニューボタンが表示されており、いずれかのメニューボタンがタッチされると各メニューページへ移行する。ユーザの指示が受け付けられると、ステップＳ０９へ進む。
【０１２２】
ステップＳ０９では、車載側データ送受信部２０３により、再度、情報データが要求される。処理態様４では、タッチされたメニューボタンに対応する情報の情報データ（本態様では、ドライブ情報の情報データ）が要求される。ディスプレイ２５には、「情報取得中」のメッセージが表示される（図２４Ｃの情報取得画面参照）。情報データの要求が行われるとステップＳ１９へ進む。以下、ステップＳ２１までの説明は、携帯端末３側で実行される処理に関する。なお、ステップＳ１９から２１までの処理は、上述したステップＳ１５、１７、１８に対応する。
【０１２３】
ステップＳ１９では、端末側データ送受信部３１３により、サーバ５によって提供される情報として、ドライブ情報が取得される。この時、現在地情報が加味されたドライブ情報が取得される。続いて、ステップＳ２０では、データ変換部３１４により、ドライブ情報を車載装置２のディスプレイ２５に表示する際、このドライブ情報が予め設定された表示態様によって表示されるように変換される。本態様では、サーバ５から提供されるドライブ情報に関するデータが、混合テンプレートを用いて表示されるように変換される。続いて、ステップＳ２１では、端末側データ送受信部３１３により、ドライブ情報に関する情報データが送信される。ドライブ情報に関する情報データが送信されると、ステップＳ１０へ進む。以下、ステップＳ１２までの説明は、車載装置２ａ側で実行される処理に関する。なお、ステップＳ１０から１２までの処理は、上述したステップＳ０５から０７に対応する。
【０１２４】
ステップＳ１０では、車載側データ送受信部２０３により、ドライブ情報に関する情報データが取得される。続いて、ステップＳ１１では、情報データ処理部２０４により、メモリ２０６に格納されている、混合テンプレートに、取得されるドライブ情報に関する情報データを適合させる処理が実行される。続いて、ステップ１２では、ドライブ情報がディスプレイ２５に表示される（図２４Ｃの情報表示画面参照）。図２４Ｃの情報表示画面には、ドライブ情報として、「ジャンル：イルミネーション」、「開催地：○○市  ○○遊園地」、「詳細：○○○○・・・・」といったテキストと共に、ライトアップされた遊園地を示す画像が表示されている。ドライブ情報の表示が完了すると、ステップＳ１２−１へ進む。
【０１２５】
ステップＳ１２−１では、ユーザの指示が受け付けられる。続いて、ステップＳ１２−２へ進み、ナビ要求があるか否か判断される。具体的には、「ここへ行くボタン」がタッチされると、ステップＳ０８−２へ進み、経路誘導が開始される。一方、「ここへ行くボタン」がタッチされない場合、再度ステップＳ０８へ進む。そして、例えば、図２４Ｃの情報表示画面において、テキスト領域や画像領域がタッチされると、ドライブ情報の更なる詳細情報の取得が開始される。
【０１２６】
以上説明したように、第二実施形態に係る情報提供システム４ａにおいて処理態４が実行されると、アクセサリ電源がＯＮになると、車載装置２ａと携帯端末３が自動的に通信を開始し、その後車載装置２のディスプレイ２５には、情報ボタンとしての「情報」ボタンが表示される。そして、情報ボタンがタッチされることで情報の取得が開始されるので、ユーザの意思に基づいて情報の取得が可能となる。
【０１２７】
以上説明した、実施形態に係る情報提供システムによれば、携帯端末３と車載装置２、２ａとを連携させ、情報データ処理部２０４が、取得された情報データを処理する。その結果、情報データに対応する情報がディスプレイ２５に表示される。車載装置２、２ａでは、携帯端末３側で既に変換された情報データを用いて、ディスプレイ２５に表示させるので、車載装置２、２ａ側の表示に関する処理を従来よりも低減することができる。換言すると、携帯端末３と同様のブラウザを搭載することなく、携帯端末３で取得される情報を車載装置２、２ａのディスプレイに表示することが可能となる。以上、本発明の好適な実施形態を説明したが、本発明はこれらに限らず、可能な限りこれらの組合せを含むことができる。
【符号の説明】
【０１２８】
１・・・車両
２、２ａ・・・車載装置
３・・・携帯端末
４・・・情報提供システム
５・・・サーバ
６、７・・・端末
２０・・・制御部
２１・・・ディスク再生部
２２・・・メモリーカード再生部
２３・・・ＴＶ受信部
２４・・・ラジオ受信部
２５・・・ディスプレイ
２６・・・操作部
２７・・・通信部
２８・・・ＧＰＳ情報受信部
３１・・・携帯端末側制御部
２０１・・・再生処理部
２０２・・・車載側通信制御部
２０３・・・車載側データ送受信部
２０４・・・情報データ処理部
２０５・・・受付部
２０６・・・メモリ
２０７・・・カメラ処理部
２０８・・・経路探索部
３１１・・・端末側通信制御部
３１２・・・検索部
３１３・・・端末側データ送受信部
３１４・・・データ変換部
３１５・・・端末側メモリ
【図１】
2010250376.tif 000003
【図２】
2010250376.tif 000004
【図３】
2010250376.tif 000005
【図４Ａ】
2010250376.tif 000006
【図４Ｂ】
2010250376.tif 000007
【図４Ｃ】
2010250376.tif 000008
【図５Ａ】
2010250376.tif 000009
【図５Ｂ】
2010250376.tif 000010
【図５Ｃ】
2010250376.tif 000011
【図６Ａ】
2010250376.tif 000012
【図６Ｂ】
2010250376.tif 000013
【図６Ｃ】
2010250376.tif 000014
【図７Ａ】
2010250376.tif 000015
【図７Ｂ】
2010250376.tif 000016
【図７Ｃ】
2010250376.tif 000017
【図８Ａ】
2010250376.tif 000018
【図８Ｂ】
2010250376.tif 000019
【図８Ｃ】
2010250376.tif 000020
【図９】
2010250376.tif 000021
【図１０】
2010250376.tif 000022
【図１１Ａ】
2010250376.tif 000023
【図１１Ｂ】
2010250376.tif 000024
【図１２】
2010250376.tif 000025
【図１３】
2010250376.tif 000026
【図１４Ａ】
2010250376.tif 000027
【図１４Ｂ】
2010250376.tif 000028
【図１４Ｃ】
2010250376.tif 000029
【図１５】
2010250376.tif 000030
【図１６】
2010250376.tif 000031
【図１７】
2010250376.tif 000032
【図１８Ａ】
2010250376.tif 000033
【図１８Ｂ】
2010250376.tif 000034
【図１８Ｃ】
2010250376.tif 000035
【図１９Ａ】
2010250376.tif 000036
【図１９Ｂ】
2010250376.tif 000037
【図１９Ｃ】
2010250376.tif 000038
【図２０Ａ】
2010250376.tif 000039
【図２０Ｂ】
2010250376.tif 000040
【図２０Ｃ】
2010250376.tif 000041
【図２１】
2010250376.tif 000042
【図２２Ａ】
2010250376.tif 000043
【図２２Ｂ】
2010250376.tif 000044
【図２３】
2010250376.tif 000045
【図２４Ａ】
2010250376.tif 000046
【図２４Ｂ】
2010250376.tif 000047
【図２４Ｃ】
2010250376.tif 000048